(57)【要約】【課題】複数の照明装置における照明設定（照明条件）と撮影パラメータとの関係を容易に調整できるようにする。【解決手段】情報処理装置１００は照明装置１０２−１〜１０２−ｎの各々について、撮影のテーマに応じて発光の有無および発光量を照明設定値として保存するとともに、カメラ１０３−１〜１０３−ｍの各々について、撮影のテーマに応じた撮影パラメータをカメラ設定値として保存し、さらに、カメラ設定値の各々に対応づけて照明設定値のうちから露出が適正となる照明設定値を基準照明設定値として保存する。情報処理装置はカメラ設定値のうち被写体輝度が最小となるカメラ設定値に対応する基準照明設定値を選択照明設定値として選択し、選択照明設定値に対して適正露出となるカメラ設定値における被写体輝度とカメラ設定値における被写体輝度との差分に基づいて、カメラの露出調整を行う。【選択図】図１
2012194349.tif 000002
【特許請求の範囲】
【請求項１】
複数のカメラと複数の照明装置とを用いて撮影を行う際に用いられ、前記カメラおよび前記照明装置を制御するための撮影制御装置であって、
前記照明装置の各々について、撮影のテーマに応じて発光の有無および発光量を照明設定値として保存する第１の保存手段と、
前記カメラの各々について、撮影のテーマに応じた撮影パラメータをカメラ設定値として保存する第２の保存手段と、
前記カメラ設定値の各々に対応づけて前記照明設定値のうちから露出が適正となる照明設定値を基準照明設定値として保存する第３の保存手段と、
撮影に用いるカメラを選択した際に、前記カメラ設定値のうち被写体輝度が最小となるカメラ設定値に対応する前記基準照明設定値を選択照明設定値として選択する選択手段と、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整手段とを有することを特徴とする撮影制御装置。
【請求項２】
複数のカメラと複数の照明装置とを用いて撮影を行う際に用いられ、前記カメラおよび前記照明装置を制御するための撮影制御装置であって、
前記照明装置の各々について、撮影のテーマに応じて発光の有無および発光量を照明設定値として保存する第１の保存手段と、
前記カメラの各々について、撮影のテーマに応じた撮影パラメータをカメラ設定値として保存する第２の保存手段と、
前記照明設定値の各々について、その照明環境で生成された少なくとも１つのカメラ設定値を、当該照明設定値の付帯情報として保存する第３の保存手段と、
撮影に用いるカメラを選択した際に、前記カメラ設定値のうち被写体輝度が最小となるカメラ設定値を選択カメラ設定値として選択する第１の選択手段と、
前記選択カメラ設定値が前記付帯情報とされた照明設定値を選択照明設定値として選択する第２の選択手段と、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整手段とを有することを特徴とする撮影制御装置。
【請求項３】
複数のカメラと複数の照明装置とを用いて撮影を行う際に用いられ、前記カメラおよび前記照明装置を制御するための撮影制御装置であって、
前記照明装置の各々について、撮影のテーマに応じて発光の有無および発光量を照明設定値として保存する第１の保存手段と、
前記カメラの各々について、撮影のテーマに応じた撮影パラメータをカメラ設定値として保存する第２の保存手段と、
前記照明設定値の各々について、その照明環境で生成されたカメラ設定値に応じて算出された被写体輝度を、当該照明設定値の付帯情報として保存する第３の保存手段と、
撮影に用いるカメラを選択した際に、前記カメラ設定値のうち被写体輝度が最小となるカメラ設定値を選択カメラ設定値として選択する第１の選択手段と、
前記選択カメラ設定値が前記付帯情報とされた照明設定値を選択照明設定値として選択する第２の選択手段と、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整手段とを有することを特徴とする撮影制御装置。
【請求項４】
前記露出調整手段は前記撮影に用いるカメラ毎にその露出パラメータを調整することを特徴とする請求項１〜３いずれか１項に記載の撮影制御装置。
【請求項５】
前記露出調整手段は、前記露出パラメータの調整を行う際、前記カメラ設定値におけるＩＳＯ値を調整することを特徴とする請求項４に記載の撮影制御装置。
【請求項６】
前記露出調整手段は、前記ＩＳＯ値を調整しても前記差分が所定の閾値以下とならないと、さらに前記カメラ設定値における絞り値を調整することを特徴とする請求項５に記載の撮影制御装置。
【請求項７】
前記露出調整手段による前記絞り値の調整によっても前記差分が前記所定の閾値以下とならないと、警告を発する警告手段を有することを特徴とする請求項６に記載の撮影制御装置。
【請求項８】
複数のカメラと複数の照明装置とを用いて撮影を行う際に用いられ、前記カメラおよび前記照明装置を制御するための制御方法であって、
前記照明装置の各々について、撮影のテーマに応じて発光の有無および発光量をメモリに照明設定値として保存する第１の保存ステップと、
前記カメラの各々について、撮影のテーマに応じた撮影パラメータを前記メモリにカメラ設定値として保存する第２の保存ステップと、
前記カメラ設定値の各々に対応づけて前記照明設定値のうちから露出が適正となる照明設定値を前記メモリに基準照明設定値として保存する第３の保存ステップと、
撮影に用いるカメラを選択した際に、前記カメラ設定値のうち被写体輝度が最小となるカメラ設定値に対応する前記基準照明設定値を選択照明設定値として選択する選択ステップと、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整ステップとを有することを特徴とする制御方法。
【請求項９】
複数のカメラと複数の照明装置とを用いて撮影を行う際に用いられ、前記カメラおよび前記照明装置を制御するための制御方法であって、
前記照明装置の各々について、撮影のテーマに応じて発光の有無および発光量をメモリに照明設定値として保存する第１の保存ステップと、
前記カメラの各々について、撮影のテーマに応じた撮影パラメータを前記メモリにカメラ設定値として保存する第２の保存ステップと、
前記照明設定値の各々について、その照明環境で生成された少なくとも１つのカメラ設定値を、前記メモリに当該照明設定値の付帯情報として保存する第３の保存ステップと、
撮影に用いるカメラを選択した際に、前記カメラ設定値のうち被写体輝度が最小となるカメラ設定値を選択カメラ設定値として選択する第１の選択ステップと、
前記選択カメラ設定値が前記付帯情報とされた照明設定値を選択照明設定値として選択する第２の選択ステップと、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整ステップとを有することを特徴とする制御方法。
【請求項１０】
複数のカメラと複数の照明装置とを用いて撮影を行う際に用いられ、前記カメラおよび前記照明装置を制御するための制御方法であって、
前記照明装置の各々について、撮影のテーマに応じて発光の有無および発光量をメモリに照明設定値として保存する第１の保存ステップと、
前記カメラの各々について、撮影のテーマに応じた撮影パラメータを前記メモリにカメラ設定値として保存する第２の保存ステップと、
前記照明設定値の各々について、その照明環境で生成されたカメラ設定値に応じて算出された被写体輝度を、前記メモリに当該照明設定値の付帯情報として保存する第３の保存ステップと、
撮影に用いるカメラを選択した際に、前記カメラ設定値のうち被写体輝度が最小となるカメラ設定値を選択カメラ設定値として選択する第１の選択ステップと、
前記選択カメラ設定値が前記付帯情報とされた照明設定値を選択照明設定値として選択する第２の選択ステップと、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整ステップとを有することを特徴とする制御方法。
【請求項１１】
複数のカメラと複数の照明装置とを用いて撮影を行う際に用いられ、前記カメラおよび前記照明装置を制御するための制御プログラムであって、
コンピュータに、
前記照明装置の各々について、撮影のテーマに応じて発光の有無および発光量をメモリに照明設定値として保存する第１の保存ステップと、
前記カメラの各々について、撮影のテーマに応じた撮影パラメータを前記メモリにカメラ設定値として保存する第２の保存ステップと、
前記カメラ設定値の各々に対応づけて前記照明設定値のうちから露出が適正となる照明設定値を前記メモリに基準照明設定値として保存する第３の保存ステップと、
撮影に用いるカメラを選択した際に、前記カメラ設定値のうち被写体輝度が最小となるカメラ設定値に対応する前記基準照明設定値を選択照明設定値として選択する選択ステップと、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整ステップとを実行させることを特徴とする制御プログラム。
【請求項１２】
複数のカメラと複数の照明装置とを用いて撮影を行う際に用いられ、前記カメラおよび前記照明装置を制御するための制御プログラムであって、
コンピュータに、
前記照明装置の各々について、撮影のテーマに応じて発光の有無および発光量をメモリに照明設定値として保存する第１の保存ステップと、
前記カメラの各々について、撮影のテーマに応じた撮影パラメータを前記メモリにカメラ設定値として保存する第２の保存ステップと、
前記照明設定値の各々について、その照明環境で生成された少なくとも１つのカメラ設定値を、前記メモリに当該照明設定値の付帯情報として保存する第３の保存ステップと、
撮影に用いるカメラを選択した際に、前記カメラ設定値のうち被写体輝度が最小となるカメラ設定値を選択カメラ設定値として選択する第１の選択ステップと、
前記選択カメラ設定値が前記付帯情報とされた照明設定値を選択照明設定値として選択する第２の選択ステップと、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整ステップとを実行させることを特徴とする制御プログラム。
【請求項１３】
複数のカメラと複数の照明装置とを用いて撮影を行う際に用いられ、前記カメラおよび前記照明装置を制御するための制御プログラムであって、
コンピュータに、
前記照明装置の各々について、撮影のテーマに応じて発光の有無および発光量をメモリに照明設定値として保存する第１の保存ステップと、
前記カメラの各々について、撮影のテーマに応じた撮影パラメータを前記メモリにカメラ設定値として保存する第２の保存ステップと、
前記照明設定値の各々について、その照明環境で生成されたカメラ設定値に応じて算出された被写体輝度を、前記メモリに当該照明設定値の付帯情報として保存する第３の保存ステップと、
撮影に用いるカメラを選択した際に、前記カメラ設定値のうち被写体輝度が最小となるカメラ設定値を選択カメラ設定値として選択する第１の選択ステップと、
前記選択カメラ設定値が前記付帯情報とされた照明設定値を選択照明設定値として選択する第２の選択ステップと、
前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整ステップとを実行させることを特徴とする制御プログラム。
【請求項１４】
少なくとも１つのカメラと複数の照明装置とを用いて撮影を行う際に用いられ、前記照明装置を制御するための撮影制御装置であって、
前記複数の照明装置をそれぞれ単体で発光させる単体発光で所定の被写体を前記カメラで撮像して複数の第１の画像データを得る第１の制御手段と、
前記第１の画像データをそれぞれ照明装置発光量データとして、前記照明装置発光量データと前記複数の照明装置毎に予め登録された発光量データとに応じて前記複数の照明装置の各々についてその発光量を調整する調整手段と、
前記調整手段による前記発光量の調整の後、前記複数の照明装置を同時に発光させる通常発光で前記所定の被写体を前記カメラで撮像して第２の画像データを得る第２の制御手段と、
前記第２の画像データと予め登録された通常発光における画像データとを比較して露出調整が必要であるか否かを判定する判定手段とを有することを特徴とする撮影制御装置。
【請求項１５】
前記調整手段で行われた発光量の調整についてその履歴を発光調整履歴として保存する保存手段を有することを特徴とする請求項１４に記載の撮影制御装置。
【請求項１６】
前記発光調整履歴が示す調整頻度が予め定められた許容範囲を超えると警告を発する警告手段を有することを特徴とする請求項１５に記載の撮影制御装置。
【請求項１７】
前記調整手段による発光量の調整を行う際、当該発光量の調整量が所定の許容範囲を超えると、前記警告手段は警告を発することを特徴とする請求項１６に記載の撮影制御装置。
【請求項１８】
前記判定手段によって露出の調整が必要であると判定されると、前記警告手段は警告を発することを特徴とする請求項１６又は１７に記載の撮影制御装置。
【請求項１９】
前記調整手段は、前記第１の画像データについて平均輝度値を求めて、当該平均輝度値と前記予め登録された発光量データの平均輝度値とを比較して前記発光量の調整を行うか否かを決定することを特徴とする請求項１４〜１８のいずれか１項に記載の撮影制御装置。
【請求項２０】
少なくとも１つのカメラと複数の照明装置とを用いて撮影を行う際に用いられ、前記照明装置を制御するための制御方法であって、
前記複数の照明装置をそれぞれ単体で発光させる単体発光で所定の被写体を前記カメラで撮像して複数の第１の画像データを得る第１の制御ステップと、
前記第１の画像データをそれぞれ照明装置発光量データとして、前記照明装置発光量データと前記複数の照明装置毎に予め登録された発光量データとに応じて前記複数の照明装置の各々についてその発光量を調整する調整ステップと、
前記調整ステップによる前記発光量の調整の後、前記複数の照明装置を同時に発光させる通常発光で前記所定の被写体を前記カメラで撮像して第２の画像データを得る第２の制御ステップと、
前記第２の画像データと予め登録された通常発光における画像データとを比較して露出調整が必要であるか否かを判定する判定ステップとを有することを特徴とする制御方法。
【請求項２１】
少なくとも１つのカメラと複数の照明装置とを用いて撮影を行う際に用いられ、前記照明装置を制御するための制御プログラムであって、
コンピュータに、
前記複数の照明装置をそれぞれ単体で発光させる単体発光で所定の被写体を前記カメラで撮像して複数の第１の画像データを得る第１の制御ステップと、
前記第１の画像データをそれぞれ照明装置発光量データとして、前記照明装置発光量データと前記複数の照明装置毎に予め登録された発光量データとに応じて前記複数の照明装置の各々についてその発光量を調整する調整ステップと、
前記調整ステップによる前記発光量の調整の後、前記複数の照明装置を同時に発光させる通常発光で前記所定の被写体を前記カメラで撮像して第２の画像データを得る第２の制御ステップと、
前記第２の画像データと予め登録された通常発光における画像データとを比較して露出調整が必要であるか否かを判定する判定ステップとを実行させることを特徴とする制御プログラム。
【発明の詳細な説明】
【技術分野】
【０００１】
本発明は、写真館におけるカメラおよび照明装置の制御に関し、特に、照明の設定に対する露出制御に関する。
【背景技術】
【０００２】
従来、写真館において、予め調整した複数の照明装置においてその発光のオン／オフと発光量との関係をメモリ等に照明情報として記録しておき、必要に応じて照明情報をメモリから読み出して照明装置にセットするようにした照明システムが知られている。
【０００３】
同様に、カメラの撮影パラメータ（カメラ設定値ともいう）をその目的に合せて調整してメモリなどに記録しておき、必要に応じてメモリから撮影パラメータを読み出してカメラにセットするシステム（以下カメラ制御システムと呼ぶ）が知られている。
【０００４】
ところが、上記の照明システムおよびカメラ制御システムは、互いに独立しており、カメラの撮影パラメータの設定については、照明の設定に合わせた設定を行うか、又はカメラマンが撮影画像および露出計を参考にしてカメラ設定の微調整を行う必要がある。
【０００５】
例えば、被写体に対してストロボライトを含むライトを用いてライティングを行った後、当該ライティング条件をメモリなどに記憶しファイリングする。そして、ストロボ撮影の際にライティングを選択して撮影を行うようにしたものがある（特許文献１参照）。
【０００６】
また、撮像装置（カメラ）と通信可能な情報処理装置によって、簡易な操作で複数の撮影条件を用いて撮像装置に繰り返し撮影を行わせるようにしてものがある。そして、過去に撮像装置に設定されていた撮影条件に簡単に戻すための手法がある（従来技術１という）。
【０００７】
加えて、複数の照明装置の照明条件を最適な状態で維持するため、複数の照明装置の照明条件が最適な状態で基準被写体を撮影した画像データから複数の基準点の色データを保存するようにしたものがある。ここでは、再び任意の時期において、基準被写体を撮影した画像データの基準点の色データを取得して、保存した色データとの差分量を算出する。そして、当該差分量に基づいて各照明装置の照明条件の変動量を算出して、この変動量がゼロになるように複数の照明装置の照明条件を調節している（特許文献２参照）。
【先行技術文献】
【特許文献】
【０００８】
【特許文献１】特開平１１−２４１３８号公報
【特許文献２】特開２００６−３２２９５号公報
【発明の概要】
【発明が解決しようとする課題】
【０００９】
ところが、特許文献１においては、露出パラメータなどの撮影パラメータは管理となっておらず、カメラマンが照明の設定に合わせて個々のカメラにおける撮影パラメータを調整しなければならない。このため、その調整が極めて面倒であるという課題がある。
【００１０】
一方、従来技術１においては、撮影の際の照明設定が撮影パラメータを決定した時の照明設定と異なる場合に、カメラマンが個々のカメラにおける撮影パラメータを調整するか又は照明環境の調整を行う必要がある。
【００１１】
加えて、特許文献２においては、個々の照明装置の性能低下が判定できず、結果的に、複数の照明装置によって十分な発光量を得られなくなった場合に、初めて各照明装置の性能を判定して調整することになり、その調整が極めて面倒であるという課題がある。
【００１２】
いずれにしても、特許文献１および２に記載の手法では、複数の照明装置における照明設定（照明条件）と撮影パラメータとの関係を調整することが極めて面倒である。
【００１３】
従って、本発明の目的は、複数の照明装置における照明設定（照明条件）と撮影パラメータとの関係を容易に調整することのできる撮影制御装置、その制御方法、および制御プログラムを提供することにある。
【課題を解決するための手段】
【００１４】
上記の目的を達成するため、本発明による撮影制御装置は、複数のカメラと複数の照明装置とを用いて撮影を行う際に用いられ、前記カメラおよび前記照明装置を制御するための撮影制御装置であって、前記照明装置の各々について、撮影のテーマに応じて発光の有無および発光量を照明設定値として保存する第１の保存手段と、前記カメラの各々について、撮影のテーマに応じた撮影パラメータをカメラ設定値として保存する第２の保存手段と、前記カメラ設定値の各々に対応づけて前記照明設定値のうちから露出が適正となる照明設定値を基準照明設定値として保存する第３の保存手段と、撮影に用いるカメラを選択した際に、前記カメラ設定値のうち被写体輝度が最小となるカメラ設定値に対応する前記基準照明設定値を選択照明設定値として選択する選択手段と、前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整手段とを有することを特徴とする。
【００１５】
本発明による撮影制御装置は、複数のカメラと複数の照明装置とを用いて撮影を行う際に用いられ、前記カメラおよび前記照明装置を制御するための撮影制御装置であって、前記照明装置の各々について、撮影のテーマに応じて発光の有無および発光量を照明設定値として保存する第１の保存手段と、前記カメラの各々について、撮影のテーマに応じた撮影パラメータをカメラ設定値として保存する第２の保存手段と、前記照明設定値の各々について、その照明環境で生成された少なくとも１つのカメラ設定値を、当該照明設定値の付帯情報として保存する第３の保存手段と、撮影に用いるカメラを選択した際に、前記カメラ設定値のうち被写体輝度が最小となるカメラ設定値を選択カメラ設定値として選択する第１の選択手段と、前記選択カメラ設定値が前記付帯情報とされた照明設定値を選択照明設定値として選択する第２の選択手段と、前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整手段とを有することを特徴とする。
【００１６】
本発明による撮影制御装置は、複数のカメラと複数の照明装置とを用いて撮影を行う際に用いられ、前記カメラおよび前記照明装置を制御するための撮影制御装置であって、前記照明装置の各々について、撮影のテーマに応じて発光の有無および発光量を照明設定値として保存する第１の保存手段と、前記カメラの各々について、撮影のテーマに応じた撮影パラメータをカメラ設定値として保存する第２の保存手段と、前記照明設定値の各々について、その照明環境で生成されたカメラ設定値に応じて算出された被写体輝度を、当該照明設定値の付帯情報として保存する第３の保存手段と、撮影に用いるカメラを選択した際に、前記カメラ設定値のうち被写体輝度が最小となるカメラ設定値を選択カメラ設定値として選択する第１の選択手段と、前記選択カメラ設定値が前記付帯情報とされた照明設定値を選択照明設定値として選択する第２の選択手段と、前記選択照明設定値に対して適正露出となるカメラ設定値における被写体輝度と前記撮影に用いるカメラに係るカメラ設定値における被写体輝度との差分に基づいて、前記撮影に用いるカメラの露出調整を行う露出調整手段とを有することを特徴とする。
【００１７】
本発明による撮影制御装置は、少なくとも１つのカメラと複数の照明装置とを用いて撮影を行う際に用いられ、前記照明装置を制御するための撮影制御装置であって、前記複数の照明装置をそれぞれ単体で発光させる単体発光で所定の被写体を前記カメラで撮像して複数の第１の画像データを得る第１の制御手段と、前記第１の画像データをそれぞれ照明装置発光量データとして、前記照明装置発光量データと前記複数の照明装置毎に予め登録された発光量データとに応じて前記複数の照明装置の各々についてその発光量を調整する調整手段と、前記調整手段による前記発光量の調整の後、前記複数の照明装置を同時に発光させる通常発光で前記所定の被写体を前記カメラで撮像して第２の画像データを得る第２の制御手段と、前記第２の画像データと予め登録された通常発光における画像データとを比較して露出調整が必要であるか否かを判定する判定手段とを有することを特徴とする。
【発明の効果】
【００１８】
本発明によれば、複数の照明装置における照明設定と撮影パラメータとの関係を容易に調整することができるという効果がある。
【図面の簡単な説明】
【００１９】
【図１】本発明の第１の実施形態による撮影制御システムの一例を示すブロック図である。
【図２】図１に示す撮影制御システムにおいて撮影業務を行う前に実施される事前準備を説明するためのフローチャートである。
【図３】図１に示す撮影制御システムにおける撮影処理を説明するためフローチャートである。
【図４】図３に示す照明設定値セット選択処理を説明するためのフローチャートである。
【図５】図４に関連して説明したＴｖ、Ａｖ、およびＳｖとシャッタスピード（秒）、絞り（Ｆ値）、およびフィルム感度（ＩＳＯ）との関係を示す図である。
【図６】図４で説明した処理によって被写体輝度が最小であるカメラ設定値セットにおける照明設定値セットが照明設定値セットの初期値として選択されたカメラ以外のカメラについて露出調整値の判定を説明するための図である。
【図７】図３に示すカメラ設定値セット露出調整処理を説明するためのフローチャートである。
【図８】図７に示す露出パラメータ調整処理を説明するためのフローチャートである。
【図９】撮影業務の途中でユーザが照明設定値セットを変更した際の各カメラの露出調整値の判定を説明するための図である。
【図１０】本発明の第２の実施形態による撮影制御システムにおいて撮影業務を行う前に実施される事前準備を説明するためのフローチャートである。
【図１１】本発明の第２の実施形態における照明設定値セット選択処理の一例を説明するためのフローチャートである。
【図１２】本発明の第３の実施形態による撮影制御システムにおいて撮影業務を行う前に実施される事前準備を説明するためのフローチャートである。
【図１３】本発明の第３の実施形態における照明設定値セット選択処理の一例を説明するためのフローチャートである。
【図１４】本発明の第４の実施形態による撮影制御システムの一例を示す図である。
【図１５】図１４に示す撮影制御システムの構成を詳細に示すブロック図である。
【図１６】図２に示す撮影制御システムにおける動作を説明するためのフローチャートであり、（ａ）は事前準備を説明するためのフローチャート、（ｂ）は撮像装置が撮影指示を受信した際の処理を説明するためのフローチャートである。
【図１７】図１５に示す照明制御装置における処理を説明するためのフローチャートであり、（ａ）はエネルギー供給量を受信した際の処理を説明するためのフローチャート、（ｂ）はＳＹＮＣ信号（撮影同期信号）を受信した際の処理を説明するためのフローチャートである。
【図１８】図１５に示す情報処理装置の表示部に表示される操作画面の一例を示す図である。
【図１９】図１５に示す情報処理装置で行われる発光量データの登録処理を説明するためのフローチャートである。
【図２０】図１９に示す単発光撮影および通常発光撮影を説明するためのフローチャートであり、（ａ）は照明装置の単体発光撮影を説明するためのフローチャート、（ｂ）は照明装置の通常発光撮影を説明するためのフローチャートである。
【図２１】図１５に示す情報処理装置で行われる露出調整処理を説明するためのフローチャートである。
【図２２】図２１に示す照明装置発光量調整処理を説明するためのフローチャートである。
【図２３】画像データから得られた輝度値に応じて照明装置のエネルギー供給量を求める際に用いられるテーブルの一例を示す図である。
【発明を実施するための形態】
【００２０】
以下、本発明の実施の形態による撮影制御装置（撮影制御システムともいう）の一例について図面を参照して説明する。
【００２１】
（第１の実施形態）
図１は、本発明の第１の実施形態による撮影制御システムの一例を説明するためのブロック図である。
【００２２】
一般に、写真館の撮影スタジオなどには、複数のカメラ１０３−１〜１０３−ｍ（ｍは２以上の整数）が配置されるとともに、複数の照明装置１０２−１〜１０２−ｎ（ｎは２以上の整数）が配置されている。図示の例では、カメラ１０３−１〜１０３−ｍにはそれぞれレンズユニット１０４−１〜１０４−ｍが装着され、カメラ１０３−１〜１０３−ｍおよび照明装置１０２−１〜１０２−ｎは、撮影制御装置である情報処理装置１００に接続されている。そして、この情報処理装置１００には記憶部１０１が備えられている。
【００２３】
なお、図１に示す例では、カメラ１０３−１〜１０３−ｍの各々はデジタルカメラであって、情報処理装置１００とＵＳＢ、Ｅｔｈｅｒｎｅｔ(登録商標)、又は無線ＬＡＮ等で接続されている。図示のカメラ１０３−１〜１０３−ｍの各々は情報処理装置１００の撮影パラメータ変更指示によって当該カメラに装着されるレンズユニット等の装着機材に係るパラメータを含む撮影パラメータを変更する機能を備えている。
【００２４】
さらに、カメラ１０３−１〜１０３−ｍの各々は、情報処理装置１００に対して、レンズユニット等の装着機材に係るパラメータを含む撮影パラメータを通知する機能を備えている。
【００２５】
レンズユニット１０４−１〜１０４−ｍは、種類によって明るさが異なり、レンズユニット１０４−１〜１０４−ｍの明るさを示すＦ値は次のようにして導かれる。
【００２６】
Ｆ値＝レンズユニットの焦点距離÷レンズユニットの有効口径      （１）
レンズユニット１０４−１〜１０４−ｍにおいて、有効口径が大きいと、集光量が大きくなり、有効口径が数１になると、光を集める面積は半分になる。
【００２７】
【数１】
2012194349.tif 000003
【００２８】
図１において、レンズユニット１０４−１は絞りを制御する機能を有する。さらに、レンズユニット１０４−１は、現在のＦ値をカメラ１０３−１に通知する機能を備えている。なお、レンズユニット１０４−２〜１０４−ｍもレンズユニット１０４−１と同様の機能を有している。
【００２９】
照明装置１０２−１は、カメラ１０３−１〜１０３−ｍによる撮影と同期して発光有無および発光出力（以下発光パラメータという）をユーザインタフェース（図示せず）によってユーザが設定する機能を有している。照明装置１０２−１はＵＳＢケーブルなどを介して情報処理装置１００と接続され、情報処理装置１００は照明装置１０２−１の発光パラメータを変更制御する。さらに、照明装置１０２−１は、情報処理装置１００に対して現在の発光パラメータを通知する機能を備えている。
【００３０】
なお、照明装置１０２−２〜１０２−ｎは照明装置１０２−１と同様の機能を有している。
【００３１】
情報処理装置１００は、カメラ１０３−１〜１０３−ｍの各々から撮影パラメータを受信して記憶部１０１に保存する。同様に、情報処理装置１００は照明装置１０２−１〜１０２−ｎの各々から受信した発光パラメータを記憶部１０１に保存する。
【００３２】
情報処理装置１００はユーザインタフェース（図示せず）を備えており、ユーザの指示によって、情報処理装置１００に接続されているカメラからその撮影パラメータを収集して、カメラ設定値セットとして保存する。同様に、情報処理装置１００はユーザの指示によって、情報処理装置１００に接続されている照明装置からその発光パラメータを収集し、照明設定値セットとして保存する。
【００３３】
さらに、情報処理装置１００は、ユーザの指示によって保存された撮影パラメータをカメラに送信・設定する機能を備えている。同様に、情報処理装置１００は、ユーザの指示によって保存された発光パラメータを照明装置に送信・設定する機能を備えている。
【００３４】
図２は、図１に示す撮影制御装置において撮影業務を行う前に実施される事前準備を説明するためのフローチャートである。
【００３５】
図１および図２を参照して、ここでは、撮影環境を構築するスキルをもつユーザが、例えば、七五三又は結婚式などのあるテーマに沿って照明装置１０２−１〜１０２−ｎに関する発光パラメータを調整する（ステップＳ２０１）。さらに、当該ユーザは、カメラ１０３−１〜１０３−ｍに関する撮影パラメータを調整する（ステップＳ２０２）。
【００３６】
この際には、使用するカメラと当該カメラに装着されるレンズユニットの性能を引き出すため、発光パラメータおよび撮影パラメータの調整に当たって、レンズユニットが装着されたカメラ毎に行われる。
【００３７】
続いて、１つのカメラと１つの照明装置の調整が完了した時点で、ユーザは情報処理装置１００のユーザインタフェース（図示せず）を用いて、使用する照明装置に関する発光パラメータを照明設定値セットとして記憶部１０１に保存する（ステップＳ２０３）。
【００３８】
さらに、ユーザはユーザインタフェースを用いて、使用するカメラに関する撮影パラメータをカメラ設定値セットとして記憶部１０１保存する（ステップＳ２０４）。そして、ユーザはカメラ設定値セットを用いる際に適正露出となる照明設定値セット（以下基準照明設定値セットという）として、ステップＳ２０３で保存した照明設定値セットをカメラ設定値セットの付帯情報として記憶部１０１に保存する（ステップＳ２０５）。これによって、事前準備が終了する。
【００３９】
図３は、図１に示す撮影制御システムにおける撮影処理を説明するためフローチャートである。
【００４０】
図１および図３を参照して、撮影業務が開始されると、ユーザは情報処理装置１００に備えられたユーザインタフェースから、撮影に使用する１つ又は複数のカメラを選択する（ステップＳ３０１）。続いて、ユーザはユーザインタフェースを用いて、これらカメラ毎に使用するカメラ設定値セットを選択する（ステップＳ３０２）。なお、ここで選択可能なカメラ設定値セットは、上述の事前準備において保存したカメラ設定値セットである。
【００４１】
上述のようにして、ユーザがカメラおよびカメラ設定値セットを選択すると、情報処理装置１００は使用する全てのカメラについてカメラ設定値セットが選択されたか否かを判定する（ステップＳ３０３）。使用する全てのカメラについてカメラ設定値セットが選択されていないと（ステップＳ３０３において、ＮＯ）、情報処理装置１００はユーザインタフェースにその旨表示する等してユーザにカメラ設定値セットの選択を促す。
【００４２】
使用する全てのカメラについてカメラ設定値セットが選択されていると（ステップＳ３０３において、ＹＥＳ）、情報処理装置１００は、後述するようにして、照明設定値セット選択処理を実施する（ステップＳ３０４）。使用する照明設定値セットを選択後、情報処理装置１００は当該照明設定値セット（つまり、発光パラメータ）を照明装置に設定する（ステップＳ３０５）。
【００４３】
続いて、情報処理装置１００は、後述するようにして、カメラ設定値セット露出調整処理を行う（ステップＳ３０６）。そして、情報処理装置１００は、カメラ設定値セット露出調整処理において調整されたカメラ設定値セット（つまり、撮影パラメータ）を各カメラに設定する（ステップＳ３０７）。その後、ユーザはカメラおよび照明装置を用いて撮影を行って（ステップＳ３０８）、撮影業務が終了する。
【００４４】
図４は、図３に示す照明設定値セット選択処理を説明するためのフローチャートである。
【００４５】
図１および図４を参照して、いま、作風に大きな影響を与えるボケ味をコントロールするためには、照明を暗くして明るいレンズの絞りを開放気味にする必要がある。このため、撮影業務開始の際における照明設定値セットの初期設定は、撮影テーマに合った照明設定値セットのうち最も暗いものを選択することが望ましい。
【００４６】
撮影に使用するカメラにはカメラ設定値セットが設定されており、各カメラ設定値セットには、前述のように、それぞれ基準照明設定値セットが関連付けられている。従って、カメラ設定値セットのうちの露出パラメータから算出される被写体輝度を相互に比較すれば、照明設定値セットの明るさを比較することができる。
【００４７】
つまり、照明設定値セット選択処理を開始すると、情報処理装置１００は例えばカメラ設定値セットの露出パラメータに基づいて被写体輝度をＡＰＥＸ値（Ａｄｄｉｔｉｖｅ  ｓｙｓｔｅｍ  ｏｆ  Ｐｈｏｔｏｇｒａｐｈｉｃ  Ｅｘｐｏｓｕｒｅ）として算出する。
【００４８】
ＡＰＥＸ値を用いると、被写体輝度Ｂｖは次の式（２）で求めることができる。
【００４９】
Ｂｖ＝Ｔｖ＋Ａｖ−Ｓｖ      （２）
ここで、Ｂｖは被写体輝度（Ｂｒｉｇｈｔｎｅｓｓ  Ｖａｌｕｅ）、Ｔｖはシャッタ速度段数（Ｔｉｍｅ  Ｖａｌｕｅ）、Ａｖは絞り値段数（Ａｐｅｒｔｕｒｅ  Ｖａｌｕｅ）、そして、Ｓｖは感度段数（Ｓｐｅｅｄ  Ｖａｌｕｅ）である。
【００５０】
ＡＰＥＸ値とは、カメラの撮影パラメータであるシャッタスピード、絞り、およびＩＳＯの値を同一の単位系として、露出を簡単に計算するためのものである。ここでは、Ｔｖ、Ａｖ、およびＳｖはそれぞれ式（３）、式（４）、および式（５）によって求められる。
【００５１】
Ｔｖ＝ｌｏｇ２（１／Ｔ）      （３）
Ａｖ＝ｌｏｇ２（Ｆ値）２      （４）
Ｓｖ＝ｌｏｇ２（０．３×ＩＳＯ）      （５）
ここで、Ｔは露光時間である。
【００５２】
図５は、図４に関連して説明したＴｖ、Ａｖ、およびＳｖとシャッタスピード（秒）、絞り（Ｆ値）、およびフィルム感度（ＩＳＯ）との関係を示す図である。
【００５３】
図５に示すように、シャッタスピード、絞り、およびフィルム感度が変化するに伴って、それぞれＴｖ、Ａｖ、およびＳｖが変化する。
【００５４】
再び図１および図４を参照して、情報処理装置１００は当該被写体輝度が最も小さいか、つまり、最小値であるかを判定する（ステップＳ４０１）。ここで、最初に算出された被写体輝度は最小値である判定され、それ以降の被写体輝度については前回までの判定で最も小さい被写体輝度と比較されて最小値であるか否かが判定されることになる。
【００５５】
被写体輝度が最小値であると（ステップＳ４０１において、ＹＥＳ）、情報処理装置１００は当該被写体輝度が最小値であるカメラ設定値セットの基準照明設定値セットを照明設定値セット（選択照明設定値セット）として選択する（ステップＳ４０２）。
【００５６】
続いて、情報処理装置１００は全てのカメラ設定値セットについて最小値の判定を行ったか否かを確認する（ステップＳ４０３）。全てのカメラ設定値セットについて最小値の判定を行っていると（ステップＳ４０３において、ＹＥＳ）、情報処理装置１００は照明設定値セット選択処理を終了する。
【００５７】
全てのカメラ設定値セットについて最小値の判定を行っていないと（ステップＳ４０３において、ＮＯ）、情報処理装置１００はステップＳ４０１に戻って処理を続行する。なお、ステップＳ４０１において、被写体輝度が最小値でないと（ステップＳ４０１において、ＮＯ）、情報処理装置１００はステップＳ４０３の処理に移行する。
【００５８】
図６は、図４で説明した処理によって被写体輝度が最小であるカメラ設定値セットにおける照明設定値セットが照明設定値セットの初期値として選択されたカメラ以外のカメラについて露出調整値の判定を説明するための図である。
【００５９】
図６において、カメラＡ、Ｂ、およびＣには、装着されたレンズユニットの明るさに応じてそれぞれカメラ設定値セットＡ、Ｂ、およびＣがセットされている。カメラ設定値セットＡ、Ｂ、およびＣには適正露出となる基準照明設定値セットが登録されている。そして、その際のシャッタスピード、絞り値、およびＩＳＯ値に応じて求められたカメラ設定値セットにおける被写体輝度は、カメラＡでは”１１”、カメラＢでは”１４”、そして、カメラＣでは”１５”となっている。
【００６０】
よって、照明設定値セットの初期値として照明設定値セットＡが選択され、カメラＢにおける露出調整値は”１４−１１”で”３”となり、同様に、カメラＣにおける露出調整値は”１５−１１”で”４”となる。
【００６１】
当該露出調整値はＡＰＥＸ値であるので、露出段数を表している。従って、ＩＳＯ値による調整可能な範囲を超えてしまった場合には、絞り値によって調整を行うことができる。
【００６２】
なお、露出調整の際にまずＩＳＯ値、次いで絞り値を用いれば、大型外部ストロボシステム（照明装置）を使用する場合には、露出がストロボの輝度×発光時間で決定されるため、カメラのシャッタスピードを変更しても露出の調整を行う必要がない。そして、絞り値は作風に大きな影響を与える関係上、露出調整の際、ＩＳＯ値に次いで絞り値を用いることになる。なお、ユーザの好み又は状況に応じて、使用する露出パラメータの優先順位を変更可能としてもよい。
【００６３】
図７は、図３に示すカメラ設定値セット露出調整処理を説明するためのフローチャートである。
【００６４】
図１および図７を参照して、露出調整処理を開始すると、情報処理装置１００は、上述のようにして選択された照明設定値セットに対して、適正露出となるカメラ設定値セットにおける被写体輝度と当該カメラのカメラ設定値セットにおける被写体輝度の差分（差分被写体輝度と呼ぶ）を算出する（ステップＳ７０１）。そして、情報処理装置１００は当該差分被写体輝度に基づいて、後述するようにして、カメラの露出パラメータを調整する（ステップＳ７０２）。
【００６５】
続いて、情報処理装置１００は、全てのカメラについて露出調整が完了したか否かを判定する（ステップＳ７０３）。全てのカメラについて露出調整が完了していないと（ステップＳ７０３において、ＮＯ）、情報処理装置１００はステップＳ７０１の処理に戻って、次のカメラについて差分被写体輝度を算出する。全てのカメラについて露出調整が完了すると（ステップＳ７０３において、ＹＥＳ）、情報処理装置１００はカメラ設定値セット露出調整を終了する。
【００６６】
図８は、図７に示す露出パラメータ調整処理を説明するためのフローチャートである。
【００６７】
図１および図８を参照して、露出パラメータ調整処理を開始すると、情報処理装置１００は図７に示すステップＳ７０１で算出した差分被写体輝度について調整可能な範囲をＩＳＯ値で調整する（ステップＳ８０１）。そして、情報処理装置１００は照明設定値セットに対して適正な露出となったか否かを判定する（ステップＳ８０２）。
【００６８】
照明設定値セットに対して適正露出となると（ステップＳ８０２において、ＹＥＳ）、つまり、ＩＳＯ値の調整によって差分被写体輝度の明るさを調整できた場合には、情報処理装置１００は露出パラメータ調整処理を終了する。
【００６９】
一方、照明設定値セットに対して適正露出とならない（Ｓ８０２でＮＯ）、つまり、ＩＳＯ値のみでは差分被写体輝度の明るさを調整できなければ、情報処理装置１００は絞り値によって露出パラメータを調整する「設定」であるか否かを判定する（Ｓ８０３）。
【００７０】
絞り値による調整を行う設定になっていると（ステップＳ８０３において、ＹＥＳ）、情報処理装置１００は差分被写体輝度について調整可能な範囲を絞り値で調整する（ステップＳ８０４）。続いて、情報処理装置１００は照明設定値セットに対して適正な露出となったか否かを判定する（ステップＳ８０５）。ここでは、例えば、差分被写体輝度が所定の閾値以下となったか否かによって、適正な露出となったか否かが判定される。
【００７１】
そして、照明設定値セットに対して適正露出となると（ステップＳ８０５において、ＹＥＳ）、つまり、絞り値の調整によって差分被写体輝度の明るさを調整できた場合には、情報処理装置１００は露出パラメータ調整処理を終了する。
【００７２】
一方、照明設定値セットに対して適正露出とならないと（Ｓ８０５でＮＯ）、つまり、絞り値では差分被写体輝度の明るさの調整ができなかった場合には、情報処理装置１００は、例えば、ユーザインタフェースによって警告を発する（ステップＳ８０６）。ステップＳ８０３において、絞り値による調整を行う設定になっていなければ（ステップＳ８０３において、ＮＯ）、情報処理装置１００は露出パラメータ調整処理を終了する。
【００７３】
なお、同一の撮影テーマにおいて複数パターンのカメラ設定値セットおよび照明設定値セットを作成しておけば、撮影業務の途中でユーザが任意の照明設定値セットに変更することも可能である。この場合、図３に示すステップＳ３０５から処理を行って、各カメラの露出パラメータを被写体輝度に合わせて調整する。
【００７４】
同様にして、同様に、撮影業務の途中でユーザは任意のカメラ設定値セットに変更することも可能である。この場合には、図３に示すステップＳ３０６から処理を行って、各カメラの露出パラメータを調整する。
【００７５】
図９は、撮影業務の途中でユーザが照明設定値セットを変更した際の各カメラの露出調整値の判定を説明するための図である。
【００７６】
図９において、いまカメラＡ、Ｂ、およびＣには、装着されたレンズユニットの明るさに応じて、それぞれカメラ設定値セットＡ、Ｂ、およびＣがセットされているものとする。各カメラ設定値セットには適正露出となる基準照明設定値セットが登録されている。そして、その際のシャッタスピード、絞り値、ＩＳＯ値に応じて求められたカメラ設定値セット毎の被写体輝度はカメラＡが”１１”、カメラＢが”１４”、カメラＣが”１５”となっている。
【００７７】
従って、照明設定値セットの初期値として照明設定値セットＣが選択されて、カメラＡの露出調整値は”１１−１５”で”−４”となり、同様に、カメラＢの露出調整値は”１４−１５”で”−１”となる。
【００７８】
ここで、カメラ設定値セットＣがセットされたカメラＣが撮影に使用するカメラとして選択されていなかったとしても、カメラ設定値セットの被写体輝度の差分に応じて、カメラＡおよびＢの露出調整値を決定することができる。
【００７９】
このようにして、ユーザは使用するカメラと当該カメラに設定するカメラ設定値セットとを選択すれば、複数のカメラを用いて適正な露出による撮影を行い、テーマに合った撮影を行うことができることになる。
【００８０】
（第２の実施形態）
上述の第１の実施形態では、照明設定値セットに適正露出となるカメラ設定値セットを関連付ける（紐づける）ために、カメラ設定値セットに関連付けて基準照明設定値セットを記録するようにした。
【００８１】
第２の実施形態では、照明設定値セットの付帯情報として、当該照明設定値セットにおける照明環境で生成した全てのカメラ設定値セットを保持して、撮影開始の際の照明設定を決定する。そして、当該照明設定に応じて各カメラの露出パラメータを適正に調整するようにする。
【００８２】
図１０は、本発明の第２の実施形態による撮影制御システムにおいて撮影業務を行う前に実施される事前準備を説明するためのフローチャートである。なお、第２の実施形態による撮影制御システムの構成は図１に示す照明・カメラ設定制御システムの構成と同様である。
【００８３】
図１および図１０を参照して、ここでは、撮影環境を構築するスキルをもつユーザが、例えば、七五三又は結婚式などのあるテーマに沿って照明装置１０２−１〜１０２−ｎに関する発光パラメータを調整する（ステップＳ１００１）。さらに、当該ユーザは、カメラ１０３−１〜１０３−ｍに関する撮影パラメータを調整する（ステップＳ１００２）。
【００８４】
この際には、使用するカメラと当該カメラに装着されるレンズユニットの性能を引き出すため、発光パラメータおよび撮影パラメータの調整に当たって、レンズユニットが装着されたカメラ毎に行われる。
【００８５】
続いて、１つのカメラと１つの照明装置の調整が完了した時点で、ユーザは情報処理装置１００のユーザインタフェースを用いて、使用するカメラに関する撮影パラメータをカメラ設定値セットとして記憶部１０１に保存する（ステップＳ１００３）。さらに、ユーザはユーザインタフェースを用いて、使用する照明装置に関する発光パラメータを照明設定値セットとして記憶部１０１保存する（ステップＳ１００４）。
【００８６】
そして、ユーザはユーザインタフェースを用いて、１つの照明設定値セットにおける照明環境で生成した少なくとも１つのカメラ設定値セットを、当該照明設定値セットの付帯情報として記憶部１０１に保存する（ステップＳ１００５）。これによって、事前準備が終了する。
【００８７】
上述のようにしてユーザは事前準備を行った後、図３で説明したようにして、撮影業務を行うことになるが、第２の実施形態においては、図３に示すステップＳ３０４の照明設定値セット選択処理が異なる。
【００８８】
図１１は、本発明の第２の実施形態における照明設定値セット選択処理の一例を説明するためのフローチャートである。
【００８９】
図１および図１１を参照して、図４で説明したようにして、情報処理装置１００はカメラ設定値セット毎にその被写体輝度が最小値であるかを判定する（ステップＳ１１０１）。被写体輝度が最小値であると（ステップＳ１１０１において、ＹＥＳ）、情報処理装置１００は当該被写体輝度が最小値であるカメラ設定値セットを付帯情報として保持する照明設定値セット（選択照明設定値セット）を選択する（ステップＳ１１０２）。
【００９０】
続いて、情報処理装置１００は全てのカメラ設定値セットについて最小値の判定を行ったか否かを確認する（ステップＳ１１０３）。全てのカメラ設定値セットについて最小値の判定を行っていると（ステップＳ１１０３において、ＹＥＳ）、情報処理装置１００は照明設定値セット選択処理を終了する。
【００９１】
一方、全てのカメラ設定値セットについて最小値の判定を行っていないと（ステップＳ１１０３において、ＮＯ）、情報処理装置１００はステップＳ１１０１に戻って処理を続行する。なお、ステップＳ１１０１において、被写体輝度が最小値でないと（ステップＳ１１０１において、ＮＯ）、情報処理装置１００はステップＳ１１０３の処理に移行する。
【００９２】
（第３の実施形態）
第３の実施形態では、照明設定値セットの付帯情報として、当該照明設定値セットにおける照明環境で生成したカメラ設定値セットに応じて算出した被写体輝度を保持して、撮影開始の際の照明設定を決定する。そして、当該照明設定に応じて各カメラの露出パラメータを適正に調整するようにする。
【００９３】
図１２は、本発明の第３の実施形態による撮影制御システムにおいて撮影業務を行う前に実施される事前準備を説明するためのフローチャートである。なお、第３の実施形態による撮影制御システムの構成は図１に示す照明・カメラ設定制御システムの構成と同様である。
【００９４】
図１および図１２を参照して、ここでは、撮影環境を構築するスキルをもつユーザが、例えば、七五三又は結婚式などのあるテーマに沿って照明装置１０２−１〜１０２−ｎに関する発光パラメータを調整する（ステップＳ１２００１）。さらに、当該ユーザは、カメラ１０３−１〜１０３−ｍに関する撮影パラメータを調整する（ステップＳ１２０２）。
【００９５】
この際には、使用するカメラと当該カメラに装着されるレンズユニットの性能を引き出すため、発光パラメータおよび撮影パラメータの調整に当たって、レンズユニットが装着されたカメラ毎に行われる。
【００９６】
続いて、１つのカメラと１つの照明装置の調整が完了した時点で、ユーザは情報処理装置１００のユーザインタフェースを用いて、使用するカメラに関する撮影パラメータをカメラ設定値セットとして記憶部１０１に保存する（ステップＳ１２０３）。さらに、ユーザはユーザインタフェースを用いて、使用する照明装置に関する発光パラメータを照明設定値セットとして記憶部１０１保存する（ステップＳ１２０４）。
【００９７】
そして、ユーザはユーザインタフェースを用いて、照明設定値セット毎に当該照明設定値セットにおける照明環境で生成したカメラ設定値セットに応じて算出された被写体輝度を照明設定値セットの付帯情報として記憶部１０１に保存する（Ｓ１２０５）。これによって、事前準備が終了する。
【００９８】
上述のようにしてユーザは事前準備を行った後、図３で説明したようにして、撮影業務を行うことになるが、第３の実施形態においては、図３に示すステップＳ３０４の照明設定値セット選択処理が異なる。
【００９９】
図１３は、本発明の第３の実施形態における照明設定値セット選択処理の一例を説明するためのフローチャートである。
【０１００】
図１および図１３を参照して、まず、図４で説明したようにして、情報処理装置１００はカメラ設定値セット毎にその被写体輝度が最小値であるかを判定する（ステップＳ１３０１）。被写体輝度が最小値であると（Ｓ１３０１でＹＥＳ）、情報処理装置１００は当該最小の被写体輝度のカメラ設定値セット（選択カメラ設定値セット）と同一の被写体輝度が付帯情報とされた照明設定値セットを初期設定として選択する（ステップＳ１３０２）。
【０１０１】
続いて、情報処理装置１００は全てのカメラ設定値セットについて最小値の判定を行ったか否かを確認する（ステップＳ１３０３）。全てのカメラ設定値セットについて最小値の判定を行っていると（ステップＳ１３０３において、ＹＥＳ）、情報処理装置１００は照明設定値セット選択処理を終了する。
【０１０２】
一方、全てのカメラ設定値セットについて最小値の判定を行っていないと（ステップＳ１３０３において、ＮＯ）、情報処理装置１００はステップＳ１３０１に戻って処理を続行する。
【０１０３】
なお、ステップＳ１３０１において、被写体輝度が最小値でないと（ステップＳ１３０１において、ＮＯ）、情報処理装置１００はステップＳ１３０３の処理に移行する。
【０１０４】
上述のように、第１〜第３の実施形態では、テーマに沿って予め作成されたカメラ設定値セットを選択すれば、特性の違うレンズユニットを装着した複数のカメラを用いて、一つの照明設定でスタジオ撮影を行うことができる。さらに、また、撮影の途中でカメラ毎のカメラ設定値セットを変更するか又は照明設定値セットを変更しても適切な露出で撮影を継続することができる。
【０１０５】
（第４の実施形態）
図１４は本発明の第４の実施形態による撮影制御システムの一例を示す図である。
【０１０６】
図示の撮影制御システム（以下、撮影制御システムともいう）１４００は、撮像装置１４２０を有し、この撮像装置１４２０は後述する露出調整・警告装置を備えている。撮像装置１４２０にはパーソナルコンピュータ（ＰＣ）からなる情報処理装置１４１０が接続されるとともに、照明制御装置１４５０が接続されている。また、情報処理装置１４１０は照明制御装置１４５０に接続され、この照明制御装置１４５０には複数の照明装置１４３０、１４３１、および１４３２が接続されている。そして、照明装置１４３０、１４３１、および１４３２は、露出調整の際に撮影される所定の被写体１４４０を照明する。
【０１０７】
なお、図示の例では、照明装置１４３０、１４３１、および１４３２の３台の照明装置が示されているが、照明装置の数は少なくとも１台あればよい。
【０１０８】
撮像装置１４２０は、設定されたシャッタスピード、絞り、ＩＳＯスピード（ＩＳＯ値）、および色変換マトリクスなどの撮影パラメータと撮影の結果得られた画像データを情報処理装置１４１０に送信する機能を備えている。さらに、撮像装置１４２０は情報処理装置１４１０から撮影パラメータを受信して、当該撮影パラメータを設定する機能と情報処理装置１４１０からリモート撮影指示を受信して撮影を実行する機能を備えている。
【０１０９】
また、撮像装置１４２０は所謂Ｘ接点を装備して、照明制御装置１４５０と接続され、照明装置１４３０、１４３１、および１４３２に対する撮影同期信号を送信する機能を備えている。
【０１１０】
照明制御装置１４５０は、照明装置１４３０、１４３１、および１４３に対するエネルギー供給量（つまり、電力供給量）および発光・非発光の状態を情報処理装置１４１０に送信する機能を備える。また、照明制御装置１４５０は情報処理装置１４１０からエネルギー供給量および発光・非発光に関する指令を受信して、照明装置１４３０、１４３１、および１４３２に対するエネルギー供給量および発光・非発光の状態を設定する機能を備える。さらに、また、照明制御装置１４５０は所謂Ｘ接点を装備しており、撮像装置１４２０からＳＹＮＣ信号（撮影同期信号）を受信する機能を備えている。
【０１１１】
情報処理装置１４１０は、撮像装置１４２０に対して、撮影パラメータを送信する機能、そして、リモート撮影を指示する機能を備えている。また、情報処理装置１４１０は撮像装置１４２０に設定された撮影パラメータおよび撮像装置１４２０による撮影の結果得られた画像データを受信する機能を備えている。
【０１１２】
さらに、情報処理装置１４１０は、照明制御装置１４５０と照明装置毎のエネルギー供給量および発光・非発光に関する情報を送受信する機能を備えている。
【０１１３】
図示の撮影制御システム１４００は、写真スタジオ等において、安定して良好な撮像を行うことができるように撮影機材に関する設定値を管理しており、ユーザは情報処理装置１４１０によって毎日の始業点検を行うことができる。始業点検では、例えば、露出調整、ホワイトバランス調整、およびオートフォーカス（ＡＦ）調整等が行われるが、以下の説明では、露出調整についてのみ説明する。
【０１１４】
所定の被写体１４４０にはマーク１４４０ａ、１４４０ｂ、および１４４０ｃが形成されており、これらマーク１４４０ａ、１４４０ｂ、および１４４０ｃは照明装置１４３０、１４３１、および１４３２の発光量を計測する位置を示すマークである。なお、マーク１４４０ａ、１４４０ｂ、および１４４０ｃは所定の被写体１４４０において照明装置１４３０、１４３１、および１４３２の発光量が最も高く計測できる位置に設けることが望ましい。
【０１１５】
図１５は図１４に示す撮影制御システム１４００の構成を詳細に示すブロック図である。
【０１１６】
図１４および図１５を参照して、ここでは、照明装置１４３０、１４３１、および１４３２の発光量を精確に調整する際の前提条件として、撮影機材の設置位置、方向、および角度などを常に同一の条件として撮影を行う必要がある。つまり、所定の被写体１４４０とマーク１４４０ａ、１４４０ｂ、および１４４０ｃの位置、方向、および角度が規定によって精確に設置され、撮像装置１４２０の撮影設定、位置、方向、および角度が規定によって精確に設置されていることが必要でいる。
【０１１７】
また、照明装置１４３０、１４３１、および１４３２の位置、方向、および角度が規定に従って精確に設置され、照明装置以外の入射光の光量が規定に従って常に一定であることが必要である。
【０１１８】
情報処理装置１４１０はＣＰＵ（中央処理装置）２１１０を有し、ＣＰＵ２１１０はメモリ２１４０に格納されている制御プログラムに従って、後述する処理に係る制御を行う。メモリ２１４０は、例えば、ＲＡＭ、ＲＯＭ、およびハードディスクなどからなる記憶装置であり、ＣＰＵ２１１０で実行される制御プログラム各種パラメータ、および入力画像データなどが格納される。
【０１１９】
通信部２１６０はネットワークおよび公衆回線を介して撮像装置１４２０および照明制御装置１４５０とデータを送受信する。ＣＰＵ２１１０は、前述のメモリ２１４０に格納されるプログラム、データ、および処理結果を通信部２１６０を介して入出力する。
【０１２０】
操作部２１３０は、例えば、キーボードおよびポインティングデバイス等であり、ユーザは操作部２１３０を用いて情報処理装置１４１０に指示を入力する。なお、画像の入力および露出調整の開始、又は露出調整した結果を照明制御装置１１５０に送信する際には、操作部２１３０よってその指示が入力される。
【０１２１】
表示部２１５０は、例えば、カラーディスプレイ装置などのユーザインタフェース（ＵＩ）であり、露出調整業務の開始指示および各種警告の表示等を行う。
【０１２２】
撮像装置１４２０は、光学像を電気信号（アナログ信号）に変換する撮影素子２２５０を備えてする。Ａ／Ｄ変換器２２６１は撮影素子２２５０から出力されたアナログ信号出力をデジタル信号に変換する。そして、画像処理部２２２０は、Ａ／Ｄ変換器２２６１から出力されたデジタル信号又はメモリ２２４０に書き込まれた画像データに対してホワイトバランスを施す。
【０１２３】
さらに、画像処理部２２２０は所定の画素補間処理および色変換処理を実行する。また、画像処理部２２２０は、撮影の結果得られた画像データを用いて所定の演算処理を行う。
【０１２４】
図示のように、撮像装置１４２０の全体の動作を制御するコントローラ２２１０には、メモリ２２４０および通信部２２６０が接続されている。メモリ２２４０は、撮影の結果得られた画像データを格納するためのメモリであり、所定枚数の静止画像データを格納するための十分な記憶量を備えている。
【０１２５】
これによって、複数枚の静止画像データを連続して得る所謂連写撮影の場合においても、高速かつ大量の画像書き込みをメモリ２２４０に対して行うことが可能となる。また、メモリ２２４０はコントローラ２２１０の作業領域としても用いられる。
【０１２６】
Ａ／Ｄ変換器２２６１から出力されるデジタル信号（画像データ）は、画像処理部２２２０を介して、あるいは直接メモリ２２４０に書き込まれる。
【０１２７】
通信部２２６０は、例えば、ＲＳ２３２Ｃ、ＵＳＢ、ＩＥＥＥ１３９４、ＬＡＮ、および無線通信等の各種通信機能を有し、撮像装置１４２０を他の機器、例えば、情報処理装置１４１０と接続する。撮像装置１４２０は通信部２２６０を介して情報処理装置１４１０およびプリンタ等の周辺機器（図示せず）との間で画像データおよび撮影パラメータの設定値を転送することができる。
【０１２８】
さらに、通信部２２６０は所謂Ｘ接点を有しており、照明制御装置１４５０および露出計（図示せず）等と接続されて、ＳＹＮＣ信号（撮影同期信号）を送信することができる。
【０１２９】
図示のように、照明装置１４３０は発光部２３５０を有している。図示はしないが、照明装置１４３１および１４３２の各々も発光部を備えている。照明制御装置１４５０は、照明装置１４３０、１４３１、および１４３２の発光部２３５０をエネルギー供給量（電力量）に応じて発光させる。
【０１３０】
照明制御装置１４５０はコントローラ２３１０を有し、このコントローラ２３１０は照明制御装置１４５０の全体の動作を制御する。そして、コントローラ２３１０はメモリ２３４０、通信部２３６０、操作部２３３０、表示部２３２０、および電源制御部２３８０に接続されている。
【０１３１】
メモリ２３４０は、照明装置１４３０、１４３１、および１４３２とコネクタ（図示せず）で接続される蓄電器２３７０、２３７１、および２３７２に関するエネルギー供給量および発光・非発光状態等を格納する。コントローラ２３１０は、操作部２３３０又は通信部２３６０からの指示に従って、メモリ２３４０に記憶された蓄電器２３７０、２３７１、および２３７２のエネルギー供給量および発光・非発光状態を上書きする。
【０１３２】
そして、コントローラ２３１０は電源制御部２３８０に対して蓄電器２３７０、２３７１、および２３７２のエネルギー供給量の変更を依頼する。電源制御部２３８０は、蓄電器２３７０、２３７１、および２３７２の蓄電量を、依頼されたエネルギー供給量に応じて変更する。
【０１３３】
通信部２３６０は、ＵＳＢおよびＬＡＮ等の各種通信機能をいずれか１つ又は複数有し、照明制御装置１４５０を他の機器、例えば、情報処理装置１４１０と接続する。また、通信部２３６０は所謂Ｘ接点を有している。そして、撮像装置１４２０からＳＹＮＣ信号（撮影同期信号）を受信すると、コントローラ２３１０はＳＹＮＣ信号を受信したタイミングで蓄電器２３７０、２３７１、２３７２に蓄えた電力を用いて、照明装置１４３０、１４３１、１４３２の発光部を発光させる。
【０１３４】
図１６は図２に示す撮影制御システム１４００における動作を説明するためのフローチャートである。そして、図１６（ａ）は事前準備を説明するためのフローチャートであり、図１６（ｂ）は撮像装置１４２０が撮影指示を受信した際の処理を説明するためのフローチャートである。
【０１３５】
図１６（ａ）において、事前準備では、ユーザ（操作者ともいう）は所定の被写体１４４０および撮像装置１４２０と照明装置１４３０、１４３１、および１４３２とをそれぞれ所定の位置に配置する。そして、操作者は、予め定められたマニュアルに応じて照明装置１４３０、１４３１、および１４３２の発光量を調整して、撮像装置１４２０の最適な（適正な）露出設定を決定する（ステップＳ１６０１）。
【０１３６】
適正な露出設定を決定すると、操作者は全体発光量データおよび照明装置毎の単一照明装置発光量データを情報処理装置１４１０に登録して（Ｓ１６０２）、事前準備を終了する。
【０１３７】
ここで、全体発光量データとは、照明装置１４３０、１４３１、および１４３２を通常発光させて撮影した結果得られた画像データの全部または一部を示す。また、単一照明装置発光量データとは、照明装置１４３０、１４３１、および１４３２を１つずつ個別発光させて撮影した結果得られた画像データの全部または一部を示す。
【０１３８】
図示の例では、全体発光量データおよび単一照明装置発光量データを情報処理装置１４１０に登録して、情報処理装置１４１０に表示される操作画面を操作して照明装置調整指示を行って自動的に照明装置１４３０、１４３１、および１４３２の発光量調整を行う。
【０１３９】
図１６（ｂ）に示す処理は、撮像装置１４２０のメモリ２２４０に格納されたプログラムに応じてコントローラ２２１０が実行する。
【０１４０】
撮像装置１４２０の電源が投入されると、コントローラ２２１０はフラグおよび制御変数などを初期化する。そして、通信部２２６０を介してコントローラ２２１０は撮影指示を受信すると（ステップＳ１６０３）、コントローラ２２１０が記憶している距離データなどから、撮影レンズ（図示せず）のフォーカシングレンズを駆動して被写体１４４０に焦点を合わせる。
【０１４１】
また、コントローラ２２１０は測光データに従ってシャッタ（図示せず）を開放して撮影素子２２５０を露光する。つまり、コントローラ２２１０は撮影を行う（ステップＳ１６０４）。
【０１４２】
撮影素子２２５０の露光終了後、コントローラ２２１０は撮影素子２２５０から電荷信号（電気信号）を読出し、Ａ／Ｄ変換器２２６１から出力されるデジタル信号に対して画像処理部２２２０においてデジタル露出補正、ホワイトバランス補正、色処理などを施す。
【０１４３】
そして、ＣＰＵ２１１０はメモリ２２４０に画像のデータを書き込んだ後（ステップＳ１６０５）、通信部２２６０を介して情報処理装置１４１０に画像データを送信する（ステップＳ１６０６）。そして、コントローラ２２１０は処理を終了する。
【０１４４】
図１７は図１５に示す照明制御装置１４５０における処理を説明するためのフローチャートである。そして、図１７（ａ）はエネルギー供給量を受信した際の処理を説明するためのフローチャートであり、図１７（ｂ）はＳＹＮＣ信号（撮影同期信号）を受信した際の処理を説明するためのフローチャートである。
【０１４５】
図１７（ａ）および（ｂ）に示す処理は照明制御装置１４５０のメモリ２３４０に格納されたプログラムに応じてコントローラ２３１０によって実行される。
【０１４６】
図１７（ａ）において、照明制御装置１４５０の電源が投入されると、コントローラ２３１０は、メモリ２３４０に記録された蓄電器２３７０、２３７１、および２３７２のエネルギー供給量（つまり、蓄電量）を表示部２３２０に表示する。そして、コントローラ２３１０は電源制御部２３８０によって照明装置１４３０、１４３１、および１４３２に対応する蓄電器２３７０、２３７１、および２３７２を充電する。
【０１４７】
いま、通信部２３６０でエネルギー供給量を受信すると（ステップＳ１７０１）、コントローラ２３１０は、指定された照明装置に対応する蓄電器のエネルギー供給量をメモリ２３４０に保存する（ステップＳ１７０２：エネルギー量設定）。そして、コントローラ２３１０は電源制御部２３８０に対して蓄電器２３７０、２３７１、および２３７２の充電を依頼する。電源制御部２３８０は、メモリ２３４０に保存されたエネルギー供給量に見合う電力量を蓄電器に充電して（ステップＳ１７０３）、処理を終了する。
【０１４８】
一方、図１７（ｂ）において、通信部がＳＹＮＣ信号（撮影同期信号）を受信すると、コントローラ２３１０は電源制御部２３８０によって、メモリ２３４０に記憶された発光・非発光状態が発光状態を示す照明装置１４３０〜１４３２の発光部を発光させる（Ｓ１７０４）。ここでは、蓄電器２３７０〜２３７２に蓄えた電力を用いて発光が行われる。そして、電源制御部２３８０は、電力を消耗した蓄電器についてメモリ２３４０に記録されたエネルギー供給量に見合う電力量まで充電して（ステップＳ１７０５）、処理を終了する。
【０１４９】
図１８は、図１５に示す情報処理装置１４１０の表示部２１５０に表示される操作画面の一例を示す図である。
【０１５０】
図１８を参照して、いま、情報処理装置１４１０において所定のプログラムが起動されると、ＣＰＵ２１１０は表示部２１５０に操作画面５０００を表示する。当該操作画面５０００において、画像表示領域５３１０（色空間平面）は、撮像装置１４２０から受信した撮影画像データに応じた撮影画像を表示する領域である。また、この画像表示領域５３１０は照明装置の露出判定に用いる所定の位置として画像上の任意の座標を指定する際に用いられる。
【０１５１】
照明装置情報５１００には、照明装置毎に、照明装置の番号５１１０、露出調整に用いられる座標５１２０、指定座標近傍の平均輝度値５１３０、撮影時のエネルギー供給量５１４０、および修正後のエネルギー供給量５１５０が表示される。
【０１５２】
警告表示領域５４１０はＣＰＵ２１１０が警告表示を行うための領域である。撮影ボタン５２１０を、例えば、マウスでクリックすると、ＣＰＵ２１１０は撮像装置１４２０に撮影指示を送信する。そして、ＣＰＵ２１１０は、受信した撮影画像データに応じた撮影画像を画像表示領域５３１０に表示する。
【０１５３】
発光量データ登録ボタン５２３０をクリックすると、ＣＰＵ２１１０は画像表示領域５３１０に表示された画像データと照明装置情報５１００に表示された情報を、照明装置毎の照明装置発光量データとしてメモリ２１４０に登録する。
【０１５４】
露出調整ボタン５２２０をクリックすると、ＣＰＵ２１１０は、メモリ２１４０に登録した照明装置発光量データと比較して、後述するようにして、各照明装置の発光量調整を行う。そして、ＣＰＵ２１１０は以後の露出調整において、照明装置毎の比較対象画像データとして用いる。
【０１５５】
エネルギー供給量受信ボタン５１６０がクリックされると、ＣＰＵ２１１０は通信部２１６０を介して照明制御装置１４５０から各照明装置のエネルギー供給量を受信する。そして、ＣＰＵ２１１０は照明装置情報５１００に反映させる。照明装置情報５１００における照明装置を選択した状態で、露出調整位置指定ボタン５１８０がクリックされると、ＣＰＵ２１１０はマウスポインタ５３２０を露出調整位置指定時専用の形に変更する。
【０１５６】
続けて、画像表示領域５３１０に表示された撮影画像において所定の被写体に付された照明装置の発光量測定位置マークのうち、照明装置情報５１００で選択された照明装置のマークの中心をクリックする。これにより、ＣＰＵ２１１０は照明装置の露出判定用の規定座標を決定する。そして、ＣＰＵ２１１０は照明装置情報５１００の座標情報を更新する。
【０１５７】
エネルギー供給量送信ボタン５１７０がクリックされると、ＣＰＵ２１１０は通信部２１６０を介して照明制御装置１１５０に各照明装置に係るエネルギー供給量を送信する。
【０１５８】
図１９は、図１５に示す情報処理装置１４１０で行われる発光量データの登録処理を説明するためのフローチャートである。図１９に示す処理は情報処理装置１４１０のメモリ２１４０に格納されたプログラムに応じてＣＰＵ２１１０によって実行される。
【０１５９】
今、操作者が図１８に示す発光量データ登録ボタン５２３０をクリックすると、ＣＰＵ２１１０は照明制御装置１４５０および撮像装置１４２０を制御し、後述の照明装置の単体発撮影を実行する（ステップＳ１９０１）。そして、単一照明装置発光量データをメモリ２１４０に保存する（ステップＳ１９０２）。
【０１６０】
続いて、ＣＰＵ２１１０は全ての照明装置について単一照明装置発光量データの登録を行ったか否かを判定する（ステップＳ１９０３）。単一照明装置発光量データの登録を行っていない照明装置があると（ステップＳ１９０３において、ＮＯ）、ＣＰＵ２１１０はステップＳ１９０１の処理に戻る。
【０１６１】
一方、全ての照明装置について単一照明装置発光量データの登録が終了していると（ステップＳ１９０３において、ＮＯ）、ＣＰＵ２１１０は、後述するようにして照明装置の通常発光撮影処理を実行する（ステップＳ１９０４）。そして、取得した画像データを全体発光量データとして登録する（ステップＳ１９０５）。そして、ＣＰＵ２１１０は処理を終了する。
【０１６２】
図２０は、図１９に示す単発光撮影および通常発光撮影を説明するためのフローチャートである。そして、図２０（ａ）は照明装置の単体発光撮影を説明するためのフローチャートであり、図２０（ｂ）は照明装置の通常発光撮影を説明するためのフローチャートである。
【０１６３】
図２０（ａ）に示す単体発光撮影では、操作者が図１８に示す撮影ボタン５２１０をクリックすると、ＣＰＵ２１１０は照明装置情報５１００に表示された照明装置の１つに対するエネルギー供給量を、通信部２１６０を介して照明制御装置１４５０に送信する。
【０１６４】
さらに、ＣＰＵ２１１０は、複数の照明装置１４３０、１４３１、および１４３２のうち１つ（上記の選択された照明装置）だけが発光するように、照明制御装置１４５０に対して、発光・非発光状態指示を送信する（ステップＳ２００１）。
【０１６５】
続いて、ＣＰＵ２１１０は撮像装置１４２０に対して撮影指示を送信する（ステップＳ２００２）。この撮影指示によって撮像装置１４２０は撮影を実行する。そして、ＣＰＵ２１１０は撮像装置１４２０から画像データ（第１の画像データ）を受信する（ステップＳ２００３）。
【０１６６】
ＣＰＵ２１１０はこの画像データをメモリ２１４０に保存する（ステップＳ２００４）。なお、ＣＰＵ２１１０はこの画像データを単一照明装置発光量データとしてメモリ２１４０の他の領域に保存して、処理を終了する。
【０１６７】
図２０（ｂ）に示す通常発光撮影では、操作者が図１８に示す撮影ボタン５２１０をクリックする。これに応答して、ＣＰＵ２１１０は照明装置情報５１００に表示された各照明装置に対するエネルギー供給量を、通信部２１６０を介して照明制御装置１４５０に送信する（ステップＳ２００５）。通常発光撮影では、全ての照明装置が同時に発光する。
【０１６８】
続いて、ＣＰＵ２１１０は通信部２１６０を介して撮像装置１４２０に撮影指示を送信する（ステップＳ２００６）。この撮影指示によって撮像装置１４２０で撮影が行われて、ＣＰＵ２１１０は撮像装置１４２０から画像データ（第２の画像データ）を受信する（ステップＳ２００７）。そして、ＣＰＵ２１１０は当該画像データをメモリ２１４０に保存し（ステップＳ１９０４）、受信した画像データを画像表示領域５３１０に表示して、処理を終了する。なお、この画像データは全体発光量データとしてメモリ２１４０に登録される。
【０１６９】
図２１は図１５に示す情報処理装置１４１０で行われる露出調整処理を説明するためのフローチャートである。図２１に示す処理は情報処理装置１４１０のメモリ２１４０に格納されたプログラムに応じてＣＰＵ２１１０によって実行される。
【０１７０】
図１５および図２１を参照して、いま、図１８に示す露出調整ボタン５２２０がクリックされると、ＣＰＵ２１１０は照明制御装置１４５０および撮像装置１４２０を制御して、図２０（ａ）で説明した単体発光撮影を行う（ステップＳ２１０１）。そして、ＣＰＵ２１１０は後述するようにして、照明装置露出調整処理（照明装置発光量調整処理）を行う（ステップＳ２１０２）。この際、照明装置の調整履歴として調整日時および調整量がメモリ２１４０に保存される。
【０１７１】
続いて、ＣＰＵ２１１０は照明装置の調整履歴から調整頻度が予め設定された許容範囲（頻度許容範囲）を超えているか否かについて確認する（ステップＳ２１０３）。調整頻度が頻度許容範囲を超えていると（ステップＳ２１０３において、ＮＯ）、ＣＰＵ２１１０に図１８に示す操作画面５０００の警告表示領域５４１０に警告を表示する（ステップＳ２１０４）。そして、ＣＰＵ２１１０は後述するステップＳ２１０５の処理に進む。
【０１７２】
なお、上記の頻度許容範囲は、例えば、発光量調整を３日連続で行なった場合を限度とするように日数で規定するようにする。また、発光量調整履歴に応じて最小自乗法を用いて発光量調整日の間隔を計算式で示して、発光量調整を行う頻度が毎日となる日を予測して、その日が近づいたら警告を発するようにしてもよい。
【０１７３】
調整頻度が頻度許容範囲以下であると（ステップＳ２１０３において、ＹＥＳ）、ＣＰＵ２１１０は照明装置のエネルギー供給量調整可能幅が予め設定された許容範囲（エネルギー許容範囲）を超えているか否かについて確認する（ステップＳ２１０５）。ここで、エネルギー供給量調性可能幅とは、照明装置に供給する最大エネルギー供給量と現在のエネルギー供給量との差分をいう。
【０１７４】
エネルギー供給量調整可能幅がエネルギー許容範囲を超えていると（ステップＳ２１０５において、ＮＯ）、ＣＰＵ２１１０は図１８に示す操作画面５０００の警告表示領域５４１０に警告を表示する（ステップＳ２１０６）。そして、ＣＰＵ２１１０は後述するステップＳ２１０７の処理に進む。
【０１７５】
なお、エネルギー許容範囲として予め規定された定数を用いて、例えば、エネルギー供給量調整可能幅がこの定数以下となった場合に警告を発するようにしてもよい。また、発光量調整履歴に応じて最小自乗法を用いて照明装置のエネルギー供給量の変更量の変化を計算式で示して、エネルギー供給量の変更量が調整可能幅を超える日が近づいたら警告を発するようにしてもよい。
【０１７６】
エネルギー供給量調整可能幅がエネルギー許容範囲以下であると（ステップＳ２１０５において、ＹＥＳ）、ＣＰＵ２１１０は全ての照明装置について調整が完了したか否かについて確認する（ステップＳ２１０７）。全ての照明装置について調整が完了していないと（ステップＳ２１０７において、ＮＯ）、ＣＰＵ２１１０はステップＳ２１０１の処理に戻って、処理を続行する。
【０１７７】
一方、全ての照明装置について調整が完了すると（ステップＳ２１０７において、ＹＥＳ）、ＣＰＵ２１１０は、図２０（ｂ）で説明した照明装置の通常発光撮影を行う（ステップＳ２１０８）。続いて、ＣＰＵ２１１０は前に登録した全体発光量データと、照明装置の発光量調整後における通常発光撮影画像データとを比較して、露出が適正であるか否かを確認する（ステップＳ２１０９）。
【０１７８】
露出が適正でないと（ステップＳ２１０９において、ＮＯ）、ＣＰＵ２１１０は図１８に示す操作画面５０００の警告表示領域５４１０に警告を表示して（ステップＳ２１１０）、処理を終了する。露出が適正であれば（ステップＳ２１０９において、ＹＥＳ）、ＣＰＵ２１１０は処理を終了する。
【０１７９】
図２２は、図２１に示す照明装置発光量調整処理を説明するためのフローチャートである。
【０１８０】
図１５および図２１を参照して、照明装置発光量調整処理を開始すると、ＣＰＵ２１１０は前にメモリ２１４０に保存した画像データを入力する（ステップＳ２２０１）。そして、ＣＰＵ２１１０は予め指定された照明装置毎の露出調整に用いる座標５１２０（図１８）を露出判定位置として指定する（ステップＳ２２０２）。続いて、ＣＰＵ２１１０は当該露出判定位置の近傍のピクセルについてその平均輝度値を算出する（ステップＳ２２０３）。
【０１８１】
次に、ＣＰＵ２１１０は平均輝度値と、図１６（ａ）の処理で登録した照明装置発光量データとを比較して、発光量の調整が必要であるか否かについて判定する（ステップＳ２２０４）。発光量の調整が必要であると判定すると（ステップＳ２２０４において、ＹＥＳ）、ＣＰＵ２１１０は、後述するようにして照明装置の出力値変更段数（エネルギー供給量変更段数）を決定する（ステップＳ２２０５）。そして、ＣＰＵ２１１０は決定後のエネルギー供給量変更段数に応じて照明制御装置１４５０にエネルギー供給量を送信する（ステップＳ２２０６）。
【０１８２】
続いて、ＣＰＵ２１１０は発光量を調整した照明装置についてその調整履歴（発光調整履歴ともいう）を更新して、調整日時および調整量を保存して（ステップＳ２２０７）、処理を終了する。なお、発光量の調整は必要でないと判定すると（ステップＳ２２０４において、ＮＯ）、ＣＰＵ２１１０は、ステップＳ２２０７の処理に進んで、更新履歴を保存する。
【０１８３】
ここで、前述のした照明装置の出力値変更段数を決定する手法について説明する。
【０１８４】
図２３は、画像データから得られた輝度値に応じて照明装置のエネルギー供給量を求める際に用いられるテーブルの一例を示す図である。
【０１８５】
図２３に示すテーブルは、例えば、メモリ２１４０に格納され、図２２で説明したステップＳ２２０５のエネルギー供給量変更段数の決定の際に用いられる。つまり、ＣＰＵ２１１０は、図２３のステップＳ２２０３で得られた平均輝度値に応じて当該テーブルを参照してエネルギー供給量を求める。
【０１８６】
ここでは、ＣＰＵ２１１０は照明装置発光量データに応じて得られた輝度値に応じて図２３に示すテーブルを参照して、対応するエネルギー供給量に基づいて適正エネルギー供給量を決定する。
【０１８７】
例えば、照明装置単体発光下で撮影した結果得られた画像データの平均輝度値が”７０”であったとすると、図２３に示すテーブルからエネルギー供給量は”３．９”とされる。そして、適正エネルギー供給量が４．９であるとすると、調整段数は”４．９−３．９＝１．０”となって、照明装置発光量データを保存した時点から、照明装置は１．０段（１０段階）性能劣化したことになる。よって、照明装置へのエネルギー供給量＝適正エネルギー供給量＋１．０＝５．９となる。
【０１８８】
このようにして、撮影環境に合わせてエネルギー供給量毎の輝度値を測定しておけば、照明装置発光量データに応じた輝度値と、撮影画像データに応じた輝度値とに応じて、照明装置の現在の適正エネルギー供給量を得ることができる。
【０１８９】
上述のようにして、第４の実施形態では、撮影に関する知識のないスタッフでも容易に照明装置の発光量を調整することができるばかりでなく、照明装置が適正露出の発光量を維持しているうちに、照明装置の性能劣化を知ることができる。
【０１９０】
上述の説明から明らかなように、図１において、情報処理装置１００および記憶部１０１が第１の保存手段、第２の保存手段、および第３の保存手段として機能する。また、情報処理装置１００は選択手段又は第１の選択手段および第２の選択手段として機能する。さらに、情報処理装置１００は露出調整手段として機能する。そして、情報処理装置１００は警告手段として機能する。
【０１９１】
図１４において情報処理装置１４１０および照明制御装置１４５０が第１の制御手段、調整手段、第２の制御手段、および判定手段として機能する。また、図１５において、ＣＰＵ２１１０およびメモリ２１４０が保存手段として機能し、ＣＰＵ２１１０および表示部２１５０が警告手段として機能する。
【０１９２】
以上、本発明について実施の形態に基づいて説明したが、本発明は、これらの実施の形態に限定されるものではなく、この発明の要旨を逸脱しない範囲の様々な形態も本発明に含まれる。
【０１９３】
例えば、上記の実施の形態の機能を制御方法として、この制御方法を、情報処理装置に実行させるようにすればよい。また、上述の実施の形態の機能を有する制御プログラムを、情報処理装置が備えるコンピュータに実行させるようにしてもよい。
【０１９４】
この際、制御方法及び制御プログラムの各々は、少なくとも第１の保存ステップ、第２の保存ステップ、第３の保存ステップ、選択ステップ、および露出調整ステップを有する。また、制御方法及び制御プログラムの各々は、第１の保存ステップ、第２の保存ステップ、第３の保存ステップ、第１の選択ステップ、第２の選択ステップ、および露出調整ステップを有するようにしてもよい。
【０１９５】
加えて、制御方法及び制御プログラムの各々は、第１の制御ステップ、調整ステップ、第２の制御ステップ、および判定ステップを有するようにしてもよい。
【０１９６】
なお、制御プログラムは、例えば、コンピュータに読み取り可能な記録媒体に記録される。
【０１９７】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１９８】
１００，１４１０  情報処理装置
１０１  記憶部
１０２−１〜１０２−ｎ，１４３０〜１４３２  照明装置
１０３−１〜１０３−ｍ  カメラ
１０４−１〜１０４−ｍ  レンズユニット
１４２０  撮像装置
１４４０  被写体
１４５０  照明制御装置
２１１０  ＣＰＵ
２３５０  発光部
【図１】
2012194349.tif 000004
【図２】
2012194349.tif 000005
【図３】
2012194349.tif 000006
【図４】
2012194349.tif 000007
【図５】
2012194349.tif 000008
【図６】
2012194349.tif 000009
【図７】
2012194349.tif 000010
【図８】
2012194349.tif 000011
【図９】
2012194349.tif 000012
【図１０】
2012194349.tif 000013
【図１１】
2012194349.tif 000014
【図１２】
2012194349.tif 000015
【図１３】
2012194349.tif 000016
【図１４】
2012194349.tif 000017
【図１５】
2012194349.tif 000018
【図１６】
2012194349.tif 000019
【図１７】
2012194349.tif 000020
【図１８】
2012194349.tif 000021
【図１９】
2012194349.tif 000022
【図２０】
2012194349.tif 000023
【図２１】
2012194349.tif 000024
【図２２】
2012194349.tif 000025
【図２３】
2012194349.tif 000026